(57)【要約】【課題】視聴中の動画像放送をキャプチャーすることが可能で、かつキャプチャーした画像を保存可能な撮像装置を提供する。【解決手段】静止画記録モードと動画記録モードとを切り替えるモード切替スイッチ６と、動画像放送を受信可能なチューナーカード１０と接続可能なコネクタ１１５と、コネクタ１１５にチューナーが接続されているか否かを判定する判定手段とを備える。また、判定手段によりコネクタ１１５にチューナーカード１０が接続されていると判定された場合に動画像放送を表示する画像表示部２３と、画像表示部２３に表示される動画像放送に対してキャプチャーを行うキャプチャー手段とを備える。また、キャプチャー手段でキャプチャーされた画像を保存する不揮発性メモリ１１６を備える。各手段は、システム制御部１１０がその機能を有する。【選択図】図１８
2009225315.tif 000002
【特許請求の範囲】
【請求項１】
静止画記録モードと動画記録モードとを切り替える切替手段と、
動画像放送を受信可能なチューナーと接続可能なコネクタ手段と、
前記コネクタ手段に前記チューナーが接続されているか否かを判定する判定手段と、
前記判定手段により前記コネクタ手段に前記チューナーが接続されていると判定された場合に前記動画像放送を表示する表示手段と、
前記表示手段に表示される前記動画像放送に対してキャプチャーを行うキャプチャー手段と、
前記キャプチャー手段でキャプチャーされた画像を保存する保存手段と、を備え、
前記切替手段にて静止画記録モードに切り替えられている場合には、前記キャプチャー手段は静止画キャプチャーを行うとともに、前記切替手段にて動画記録モードに切り替えられている場合には、前記キャプチャー手段は動画キャプチャーを行うことを特徴とする撮像装置。
【請求項２】
撮影動作を開始するレリーズボタンを有し、前記表示手段に前記動画像放送が表示されているときに前記レリーズボタンを押下することで前記キャプチャー手段はキャプチャー動作を開始することを特徴とする請求項１記載の撮像装置。
【発明の詳細な説明】
【技術分野】
【０００１】
本発明は、撮像素子、液晶パネル、記録媒体とのコネクタ部を備えたデジタルスチルカメラ（以下、「デジカメ」）等の撮像装置に関する。詳しくは、コネクタ部にチューナーカードを差し込み、動画像放送を視聴可能な撮像装置に関するものである。
【背景技術】
【０００２】
従来から、動画像放送であるＴＶ放送を視聴可能なチューナー内蔵のデジカメが提案されており、モード切替スイッチでＴＶモードにすることで、デジカメに備えられた液晶パネルとスピーカによってＴＶ放送が視聴可能となっている（例えば、特許文献１参照）。
【０００３】
更に、上記デジカメにおいては、ＴＶモードであってもレリーズスイッチを半押しすることにより静止画撮影モードに切り替わり、上記液晶は撮像手段から取り込まれたスルー画像を表示し、レリーズボタンを全押しすると撮影が可能となっている。
【０００４】
一方、近年のカメラ付き携帯電話には、ワンセグチューナーを内蔵し、備えられた液晶パネルでワンセグ放送が視聴可能なものも知られている。上記携帯電話では、ワンセグ放送視聴中にその放送画面をメモとして記録したい場合に、備えられたメモスイッチを押すことで動画、静止画の区別無くその放送画面をキャプチャーすることが可能であった。更には、キャプチャーした画像を内蔵された不揮発性メモリまたは着脱可能な記録媒体に保存可能となっていた。
【特許文献１】特開２００５−１６７７０１号公報（第３頁、図１）
【発明の開示】
【発明が解決しようとする課題】
【０００５】
しかしながら、特許文献１のデジカメではＴＶ放送をキャプチャーする機能が搭載されていなかったために、視聴中に気に入ったシーンを保存するという操作者の要望に応えることができなかった。
【０００６】
一方、カメラ付き携帯電話では、ワンセグ放送視聴中にメモスイッチを押すことによってキャプチャー可能ではあったが、キャプチャーする形式に動画、静止画の区別が無かったために、操作者は所望の形式を選ぶことができずストレスを感じるという欠点があった。
【０００７】
本発明の目的は、視聴中の動画像放送をキャプチャーすることが可能で、かつキャプチャーした画像を保存可能な撮像装置を提供することにある。
【課題を解決するための手段】
【０００８】
上記目的を達成するために、本発明の撮像装置は、静止画記録モードと動画記録モードとを切り替える切替手段と、動画像放送を受信可能なチューナーと接続可能なコネクタ手段と、前記コネクタ手段に前記チューナーが接続されているか否かを判定する判定手段と、前記判定手段により前記コネクタ手段に前記チューナーが接続されていると判定された場合に前記動画像放送を表示する表示手段と、前記表示手段に表示される前記動画像放送に対してキャプチャーを行うキャプチャー手段と、前記キャプチャー手段でキャプチャーされた画像を保存する保存手段とを備え、前記切替手段にて静止画記録モードに切り替えられている場合には、前記キャプチャー手段は静止画キャプチャーを行うとともに、前記切替手段にて動画記録モードに切り替えられている場合には、前記キャプチャー手段は動画キャプチャーを行うことを特徴とする。
【発明の効果】
【０００９】
本発明の撮像装置によれば、視聴中の動画像放送を静止画でキャプチャーするか、動画でキャプチャーするかを直感的に操作することが可能となる。
【発明を実施するための最良の形態】
【００１０】
以下、本発明の実施の形態を図面を参照しながら詳細に説明する。
【００１１】
本発明は、記録媒体として最も認知度の高いＳＤメモリカードと同一のインターフェースを持つＩ／Ｏカードの拡張規格に準拠したカード型ワンセグチューナーを撮像装置に装着し、ワンセグ放送を視聴する際の画像メモ機能に関する。
【００１２】
図１は、本発明の実施の形態に係る撮像装置としてのデジタルカメラの外観斜視図である。
【００１３】
装置本体１は、内部に不図示の撮像素子、撮影レンズ、電源回路及び信号処理回路を包括した基板、電源である電池、記録媒体もしくは記録媒体と同一のＩ／Ｏカード規格のインターフェースを持つワンセグチューナーと接続可能なコネクタ手段を備える。
【００１４】
また、装置本体１は、光学ファインダー２、電源スイッチ３、静止画または動画を撮影する際に押下するレリーズボタン４、撮影の画角を変更するためのズームレバー５、装置本体１における各種モードを切り替えるモード切替スイッチ６を備える。
【００１５】
装置本体１の背面に印刷されたアイコンマーク１ａにモード切替スイッチ６を合わせると静止画記録モード、アイコンマーク１ｂにモード切替スイッチ６を合わせると動画記録モード、アイコンマーク１ｃにモード切替スイッチ６を合わせると再生モードにモードの切り替えが可能である。
【００１６】
装置本体１の背面に備えられた表示手段としての液晶パネル７は、不図示の撮影レンズを介して撮像素子の受光面に結像した撮影前の被写体像をスルー画像として表示し、撮影後記録された画像を再生画像として表示する。また、液晶パネル７は、ワンセグチューナーで受信された動画像を表示することが可能となっている。
【００１７】
操作者が各種操作を行う操作スイッチ８は、液晶パネル７上の表示を切り替える表示スイッチや、メニュースイッチ、印刷スイッチ、ＳＥＴスイッチを備える。十字スイッチ９は、十字に配置された４方向スイッチ（上スイッチ、下スイッチ、右スイッチ、左スイッチ）である。
【００１８】
動画像放送を受信可能なチューナーカード１０は、装置本体１の内部に設けられた不図示の記録媒体スロットに差し込まれる。チューナーカード１０ではなく記録媒体であるＳＤメモリカードが差し込まれた場合は、不図示のコネクタカバーによってその開口を閉じられている。不図示の電池は記録媒体スロットと併設された電池収納部に収納されており、不図示の電池蓋によってその開口を閉じられている。
【００１９】
［デジタルカメラの電気的構成］
図２は、図１のデジタルカメラにおけるカメラ使用状態のブロック図である。
【００２０】
以下、その構成を動作（機能）と併せて説明する。
【００２１】
図２において、バリア１０１は、装置本体１の、撮影レンズ１０２を含む撮像部を覆うことにより、撮像系の汚れや破損を防止する。撮影レンズ１０２、絞り機能を備えるシャッター１０３、光学像を電気信号に変換するＣＣＤやＣＭＯＳ素子等で構成される撮像部１０４がある。
【００２２】
Ａ／Ｄ変換器１０５は、アナログ信号をデジタル信号に変換する。Ａ／Ｄ変換器１０５は、撮像部１０４から出力されるアナログ信号をデジタル信号に変換する場合や、音声制御部１０６から出力されるアナログ信号をデジタル信号に変換する場合に用いられる。
【００２３】
タイミング発生部１０７は、撮像部１０４、Ａ／Ｄ変換器１０５、音声制御部１０６、Ｄ／Ａ変換器１０８にクロック信号や制御信号を供給する。タイミング発生部１０７は、メモリ制御部１０９及びシステム制御部１１０により制御される。
【００２４】
画像処理部１１１は、Ａ／Ｄ変換器１０５からのデータ、または、メモリ制御部１０９からのデータに対し所定の画素補間、縮小といったリサイズ処理や色変換処理を行う。
【００２５】
また、画像処理部１１１では、撮影した画像データを用いて所定の演算処理が行われ、得られた演算結果に基づいてシステム制御部１１０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。
【００２６】
画像処理部１１１では更に、撮影した画像データを用いて所定の演算処理を行い、得られた演算結果に基づいてＴＴＬ方式のＡＷＢ（オートホワイトバランス）処理も行っている。
【００２７】
Ａ／Ｄ変換器１０５からの出力データは、画像処理部１１１及びメモリ制御部１０９を介して、あるいは、直接メモリ制御部１０９を介して、メモリ１１２に書き込まれる。メモリ１１２は、撮像部１０４によって得られ、Ａ／Ｄ変換器１０５によりデジタルデータに変換された画像データや、液晶パネル７を含む画像表示部２３に表示するための画像データを格納する。
【００２８】
尚、メモリ１１２は、マイク２１において録音された音声データ、静止画像、動画像及び画像ファイルを構成する場合のファイルヘッダを格納するのにも用いられる。従って、メモリ１１２は、所定枚数の静止画像や所定時間の動画像及び音声を格納するのに十分な記憶容量を備えている。
【００２９】
圧縮／伸張部１１３は、適応離散コサイン変換（ＡＤＣＴ）等により画像データを圧縮、伸張する。圧縮／伸張部１１３は、シャッター１０３を通りガにしてメモリ１１２に格納された撮影画像を読み込んで圧縮処理を行い、処理を終えたデータをメモリ１１２に書き込む。
【００３０】
また、圧縮／伸張部１１３は、記録媒体２００の記録部２０１等からメモリ１１２に読み込まれた圧縮画像に対して伸張処理を行い、処理を終えたデータをメモリ１１２に書き込む。
【００３１】
圧縮／伸張部１１３によりメモリ１１２に書き込まれた画像データは、システム制御部１１０のファイル部においてファイル化される。そして、インターフェース（Ｉ／Ｆ）１１４、コネクタ１１５、記録媒体２００側のコネクタ２０３、インターフェース（Ｉ／Ｆ）２０２を介して、記録媒体２００に記録される。また、メモリ１１２は、画像表示用のメモリ（ビデオメモリ）を兼ねている。
【００３２】
Ｄ／Ａ変換器１０８は、メモリ１１２に格納されている画像表示用のデータをアナログ信号に変換して画像表示部２３に供給する。画像表示部２３は、液晶パネル７等の表示器上に、メモリ１１２に書き込まれた表示用の画像データをＤ／Ａ変換器１０８を介してアナログ信号に変換して表示を行う。
【００３３】
マイク２１から出力された音声信号は、アンプ等で構成される音声制御部１０６を介してＡ／Ｄ変換器１０５に供給され、Ａ／Ｄ変換器１０５においてデジタル信号に変換された後、メモリ制御部１０９によってメモリ１１２に格納される。
【００３４】
一方、記録媒体２００に記録されている音声データは、メモリ１１２に読み込まれた後、Ｄ／Ａ変換器１０８によりアナログ信号に変換される。音声制御部１０６は、このアナログ信号によりスピーカ２２を駆動し、音声出力する。
【００３５】
不揮発性メモリ１１６は、電気的に消去・記録可能なメモリであり、例えばＥＥＰＲＯＭ等が用いられる。不揮発性メモリ１１６には、システム制御部１１０の動作用の定数、プログラム等が記憶（記録）される。ここでいう、プログラムとは、本実施の形態にて後述する各種フローチャートを実行するためのプログラムのことである。
【００３６】
システム制御部１１０は、不揮発性メモリ１１６に記憶されたプログラムを実行することで、後述する本実施の形態の各処理を実現する。システムメモリ１１７はり、ＲＡＭが用いられる。システムメモリ１１７には、システム制御部１１０の動作用の定数、変数、不揮発性メモリ１１６から読み出したプログラム等を展開（記憶）する。
【００３７】
ズームレバー５、モード切替スイッチ６、第１シャッタースイッチ５１、第２シャッタースイッチ５２、操作スイッチ８及び十字スイッチ９はシステム制御部１１０に各種の動作指示を入力するための操作手段である。
【００３８】
モード切替スイッチ６は、システム制御部１１０の動作モードを静止画記録モード、動画記録モード、再生モード等のいずれかに切り替えることができる。第１シャッタースイッチ５１は、装置本体１に設けられたレリーズボタン４の操作途中（半押し）でオンとなり第１シャッタースイッチ信号ＳＷ１を発生する。
【００３９】
システム制御部１１０は、第１シャッタースイッチ信号ＳＷ１により、ＡＦ処理、ＡＥ処理、ＡＷＢ処理、ＥＦ処理等の動作を開始する。
【００４０】
第２シャッタースイッチ５２は、レリーズボタン４の操作完了（全押し）でオンとなり、第２シャッタースイッチ信号ＳＷ２を発生する。システム制御部１１０は、第２シャッタースイッチ信号ＳＷ２により、撮像部１０４からの信号読み出しから記録媒体２００に画像データを書き込むまでの一連の撮影処理の動作を開始する。
【００４１】
操作スイッチ８の各操作部材は、画像表示部２３に表示される種々の機能アイコンを選択操作すること等により、場面毎に適宜機能が割り当てられ、各種機能スイッチとして作用する。機能スイッチとしては例えば終了スイッチ、戻るスイッチ、画像送りスイッチ、ジャンプスイッチ、絞込みスイッチ、属性変更スイッチ等がある。
【００４２】
例えば、メニュースイッチが押されると各種設定が可能なメニュー画面が画像表示部２３に表示される。操作者は、画像表示部２３に表示されたメニュー画面と、十字スイッチ９やＳＥＴスイッチとを用いて直感的に各種設定を行うことができる。電源スイッチ３は、電源オン、電源オフを切り替える。
【００４３】
電源制御部１１８は、電池検出回路、ＤＣ−ＤＣコンバータ、通電するブロックを切り替えるスイッチ回路等により構成され、電池の装着の有無、電池の種類、電池残量の検出を行う。また、電源制御部１１８は、その検出結果及びシステム制御部１１０の指示に基づいてＤＣ−ＤＣコンバータを制御し、必要な電圧を必要な期間、記録媒体２００を含む各部へ供給する。
【００４４】
電源部１１９は、アルカリ電池やリチウム電池等の一次電池やＮｉＣｄ電池やＮｉＭＨ電池、Ｌｉ電池等の二次電池、ＡＣアダプター等からなる。コネクタ５４及び５５は電源部１１９と電源制御部１１８とを接続する。
【００４５】
ＲＴＣ（Ｒｅａｌ  Ｔｉｍｅ  Ｃｌｏｃｋ）１２０は、日付及び時刻を計時する。ＲＴＣ１２０は、電源制御部１１８とは別に内部に電源部を保持しており、電源部１１９が落ちた状態であっても、計時状態を続ける。システム制御部１１０は、起動時にＲＴＣ１２０より取得した日時を用いてシステムタイマを設定し、タイマ制御を実行する。
【００４６】
インターフェース１１４は、メモリカードやハードディスク等の記録媒体２００またはチューナーカードと、装置本体１とのインターフェースを司る。コネクタ１１５は、記録媒体２００やチューナーカードとインターフェース１１４との接続を行う。記録媒体着脱検知部１２１は、コネクタ１１５に記録媒体２００やチューナーカードが装着されているか否かを検知する。
【００４７】
記録媒体２００は、図２においてはメモリカードやハードディスク等である。記録媒体２００は、半導体メモリや磁気ディスク等から構成される記録部２０１、装置本体１とのインターフェース２０２、及び、記録媒体２００と装置本体１とを接続するためのコネクタ２０３を備えている。
【００４８】
また、コネクタ１１５、２０３はＳＤＩ／Ｏカードの拡張規格に準拠しており、先述の記録媒体の他、ＳＤＩ／Ｏカードの拡張規格に準拠したチューナーカードが着脱可能となっている。
【００４９】
通信部１２２は、ＲＳ２３２ＣやＵＳＢ、ＩＥＥＥ１３９４、Ｐ１２８４、ＳＣＳＩ、モデム、ＬＡＮ、無線通信、等の各種通信処理を行う。コネクタ（無線通信の場合はアンテナ）１２３は、通信部１２２を介して装置本体１を他の機器と接続する。
【００５０】
［デジタルカメラの全体動作について］
図３は、図２のデジタルカメラによって実行される全体処理の手順を示すフローチャートである。
【００５１】
より具体的には、図３は、装置本体１に通常の記録媒体であるＳＤメモリカードを挿入し撮影、再生する場合の全体的な動作を説明するフローチャートである。ワンセグチューナーカードを差し込んだ動作説明は後述する。
【００５２】
本処理は、図２におけるシステム制御部１１０の制御の下に実行される。
【００５３】
電源スイッチ３が操作され電源がオンに切り替わると、ステップＳ３０１において、システム制御部１１０はフラグや制御変数等を初期化し、ステップＳ３０２において、記録媒体収納部にワンセグチューナーカード１０が差し込まれているか判定する。ステップＳ３０２は、コネクタ１１５にチューナーカード１０が接続されているか否かを判定する判定手段として機能する。
【００５４】
ワンセグチューナーカードが差し込まれている場合はステップＳ３０３へ進み、ワンセグＴＶモードとなり詳細は後述する視聴が可能となる。次に、ステップＳ３０４で、システム制御部１１０は、電源スイッチ３のオン／オフを判定し、電源オンの場合はステップＳ３０２に戻る。電源オフの場合はステップＳ３０５に進み、システム制御部１１０は終了処理を行う。
【００５５】
終了処理には、例えば以下の処理が含まれる。即ち、画像表示部２３の表示を終了状態に変更し、フラグや制御変数等を含むパラメータや設定値、設定モードを不揮発性メモリ１１６に記録（記憶）し、電源供給が不要な部分への電源を遮断する。ステップＳ３０５の終了処理が完了すると、本処理を終了し、電源をオフ状態へ移行する。
【００５６】
ステップＳ３０２において、記録媒体収納部にワンセグチューナーカードが差し込まれていない場合は、ステップＳ３０６で、記録媒体２００に記録されているファイルに関する管理処理を開始する。
【００５７】
次に、ステップＳ３０７、Ｓ３０８、Ｓ３０９において、システム制御部１１０は、モード切替スイッチ６の設定位置を判定する。静止画記録モードに設定されていたならば処理はステップＳ３０７からステップＳ３１０へ進み、静止画記録モード処理を実行する。
【００５８】
ステップＳ３１０の静止画記録モード処理の詳細は図４を用いて後述する。モード切替スイッチ６が動画記録モードに設定されていたならば、処理はステップＳ３０７、Ｓ３０８を経てステップＳ３１１へ進み、動画記録モード処理を実行する。ステップＳ３１１の動画記録モード処理については、図１１等により後述する。
【００５９】
また、モード切替スイッチ６が再生モードに設定されていた場合、処理はステップＳ３０７、Ｓ３０８、Ｓ３０９を経てステップＳ３１２へ進み、再生モード処理を実行する。ステップＳ３１２の再生モード処理は図１５を用いて後述する。
【００６０】
また、その他のモードに設定されていた場合、処理はステップＳ３１３へ進み、システム制御部１１０は選択されたモードに応じた処理を実行する。その他のモードとしては、例えば、記録媒体２００に格納されたファイルの送信を行う送信モード処理、外部機器からファイルを受信して記録媒体２００に格納する受信モード処理が含まれる。これらのうち、受信モード処理については図１４を用いて後述する。
【００６１】
ステップＳ３１０、Ｓ３１１、Ｓ３１２、Ｓ３１３のうちのモード切替スイッチ６によって設定されたモードに対応した処理を実行した後、処理はステップＳ３１４へ進む。ステップＳ３１４において、システム制御部１１０は、電源スイッチ３のオン／オフを判定する。
【００６２】
本実施の形態の電源スイッチ３は、プッシュ式ＳＷが使用されており、電源オン状態から押されればシステム制御部１１０は操作者が電源を切りたいと判定し、処理はステップＳ３１４からステップＳ３１５へ進み、制御部１１０は終了処理を行う。
【００６３】
終了処理には、例えば以下の処理が含まれる。即ち、画像表示部２３の表示を終了状態に変更し、バリア１０１を閉じて撮像部１０４を保護し、フラグや制御変数等を含むパラメータや設定値、設定モードを不揮発性メモリ１１６に記録し、電源供給が不要な部分への電源を遮断する。
【００６４】
ステップＳ３１５の終了処理が完了すると、本処理を終了し、電源をオフ状態へ移行する。電源オン状態から電源スイッチ３が押されなければシステム制御部１１０は操作者が電源を切りたくないと判定し、ステップＳ３０２に処理を戻す。
【００６５】
［静止画記録モード処理］
図４は、図３のステップＳ３１０で実行される静止画記録モード処理の手順を示すフローチャートである。
【００６６】
尚、図４に示される静止画記録モード処理は、モード切替スイッチ６により他のモードへの切り替えが行われた場合や電源スイッチ３がオフにセットされた場合に、割り込み処理等により終了するものとする。
【００６７】
システム制御部１１０は、静止画記録モードを開始すると、ステップＳ４０１において撮影モードを確定する。撮影モードの確定は、
（１）不揮発性メモリ１１６より前回の静止画記録モード終了時における撮影モードを取得してシステムメモリ１１７に格納する、
（２）操作者により操作スイッチ８が操作されて撮影モードの設定入力があった場合に、その設定入力された撮影モードをシステムメモリ１１７に格納する、
のいずれかの処理を実行することでなされる。
【００６８】
ここで、撮影モードとは、撮影シーンに適したシャッター速度や絞り値、ストロボ発光状態、感度設定等を組み合わせて実現されるモードのことである。本実施の形態のデジタルカメラは以下のような撮影モードを有する。
・オートモード：カメラの各種パラメータが、計測された露出値に基づいて装置本体１に組み込まれたプログラムにより自動的に決定されるモード。
・マニュアルモード：カメラの各種パラメータをユーザが自由に変更可能なモード。
・シーンモード：撮影シーンに適したシャッター速度や絞り値、ストロボ発光状態、感度設定等の組み合わせが自動で設定されるモード。
【００６９】
尚、シーンモードには以下のようなモードが含まれる。
・ポートレートモード：背景をぼかして人物を浮き立たせるようにして人物撮影に特化したモード。
・夜景モード：人物にストロボ光を当て背景を遅いシャッター速度で記録する、夜景シーンに特化したモード。
・風景モード：広がりのある風景シーンに特化したモード。
・ナイト＆スナップモード：三脚なしで夜景と人物をきれいに撮るのに適したモード。
・キッズ＆ペットモード：よく動き回る子供やペットを、シャッターチャンスを逃さず撮影可能にしたモード。
・新緑＆紅葉モード：新緑等の木々や葉を色鮮やかに撮影するのに適したモード。
・パーティーモード：蛍光灯や電球の下で、手振れを抑えて被写体に忠実な色味で撮影するモード。
・スノーモード：雪景色をバックにしても人物が暗くならず、青みも残さず撮影するモード。
・ビーチモード：太陽光の反射の強い海面や砂浜でも、人物等が暗くならずに撮影可能なモード。
・花火モード：打ち上げ花火を最適な露出で鮮やかに撮影するためのモード。
・水族館モード：屋内の水槽内の魚等を撮影するのに適した感度、ホワイトバランス、色味を設定するモード。
・水中モード：水中に最適なホワイトバランスに設定し、青みを押さえた色合いで撮影するモード。
【００７０】
ステップＳ４０２において、システム制御部１１０は、ステップＳ４０１において撮影モードが確定すると、続いて撮像部１０４からの画像データを表示するスルー表示を行う。
【００７１】
続いて、ステップＳ４０３において、システム制御部１１０は、電源制御部１１８を用いて電池等により構成される電源部１１９の残容量や、記録媒体２００の有無や残容量が装置本体１の動作に問題があるか否かを判定する。問題があるならば、ステップＳ４０４において、画像表示部２３を用いて画像や音声により所定の警告表示を行い、処理をステップＳ４０１に戻す。
【００７２】
電源部１１９や記録媒体２００の状態に問題がないならば、ステップＳ４０５において、システム制御部１１０は、必要に応じて分類情報の自動付与入／切設定を行う。自動付与入／切設定は、操作スイッチ８に含まれるメニュースイッチを押すことで、画像表示部２３に表示されるメニュー画面（不図示）によりユーザが任意に設定可能である。
【００７３】
分類情報の自動付与入／切設定は、シーンモード並びに被写体条件により分類情報を自動付与するか否かのフラグによって行われ、設定値（フラグのオン／オフ値）はシステムメモリ１１７において保持される。
【００７４】
このように、分類情報の自動付与入／切設定を持たせることで、操作者によって意図しない分類情報が付与されることを時々に応じて防止することが可能となる。尚、分類情報については後述する。
【００７５】
続いて、ステップＳ４０６において、システム制御部１１０は、スルー表示される画像信号中に人の顔が存在するか否かを検知する顔検出を行う。この顔検出処理については図５を用いて後述する。
【００７６】
システム制御部１１０は、顔検出処理において人の顔が検出された場合、画像信号中において検出した顔の位置座標、サイズ（幅、高さ）、検出個数、信頼性係数等を顔情報としてシステムメモリ１１７に記憶する。顔検出処理において顔が検出されなかった場合はシステムメモリ１１７内の位置座標、サイズ（幅、高さ）、検出個数、信頼性係数等の領域に０を設定する。
【００７７】
続いてステップＳ４０７において、システム制御部１１０は、第１シャッタースイッチ信号ＳＷ１がオンしているか否かを判定する。
【００７８】
第１シャッタースイッチ信号ＳＷ１がオフ（ＯＦＦ）の場合は、処理はステップＳ４０５に戻り、上記ステップＳ４０５、Ｓ４０６を繰り返す。一方、第１シャッタースイッチ信号ＳＷ１がオン（オン）の場合は、ステップＳ４０８に進む。
【００７９】
ステップＳ４０８において、システム制御部１１０は、測距処理を行って撮影レンズ１０２の焦点を被写体に合わせるとともに、測光処理を行って絞り値及びシャッター時間（シャッタースピード）を決定する。
【００８０】
尚、測光処理において、必要であればフラッシュの設定も行われる。このとき、ステップＳ４０６において顔が検出されていれば、検出した顔の範囲で測距を行うようにすることも可能である。
【００８１】
次に、ステップＳ４０９、Ｓ４１０では、第１シャッタースイッチ信号ＳＷ１と第２シャッタースイッチ信号ＳＷ２のオン／オフ状態を判定する。
【００８２】
第１シャッタースイッチ信号ＳＷ１がオンした状態で第２シャッタースイッチ信号ＳＷ２がオンになると、処理はステップＳ４０９からステップＳ４１１へ進む。
【００８３】
第１シャッタースイッチ信号ＳＷ１がオフになると（第２シャッタースイッチ信号ＳＷ２がオンせずに、更に第１シャッタースイッチ信号ＳＷ１も解除された場合）、処理はステップＳ４１０からステップＳ４０５へ戻る。
【００８４】
また、第１シャッタースイッチ信号ＳＷ１がオン、第２シャッタースイッチ信号ＳＷ２がオフの間は、ステップＳ４０９、Ｓ４１０の処理が繰り返される。
【００８５】
第２シャッタースイッチ５２が押されると、ステップＳ４１１において、システム制御部１１０は、画像表示部２３の表示状態をスルー表示から固定色表示状態に設定する。そして、ステップＳ４１２において、システム制御部１１０は、露光処理や現像処理を含む撮影処理を実行する。
【００８６】
尚、露光処理では、撮像部１０４、Ａ／Ｄ変換器１０５を経て得られた画像データが、画像処理部１１１及びメモリ制御部１０９を介して、あるいはＡ／Ｄ変換器１０５から直接メモリ制御部１０９を介して、メモリ１１２に書き込まれる。
【００８７】
また、現像処理では、システム制御部１１０が、メモリ制御部１０９そして必要に応じて画像処理部１１１を用いて、メモリ１１２に書き込まれた画像データを読み出して各種処理を行う。この撮影処理の詳細は図６を用いて後述する。
【００８８】
次に、システム制御部１１０は、ステップＳ４１３において、画像表示部２３に対し撮影処理で得られた画像データのクィックレビュー表示を行う。クィックレビューとは、撮影画像の確認のために、被写体の撮影後、記録媒体２００への記録前に、予め決められた時間（レビュー時間）だけ画像データを画像表示部２３に表示する処理である。
【００８９】
クィックレビュー表示後、ステップＳ４１４において、システム制御部１１０は、撮影処理で得られた画像データを画像ファイルとして記録媒体２００に対して書き込む記録処理を実行する。尚、この記録処理の詳細は、図７を用いて後述する。
【００９０】
ステップＳ４１４の記録処理が終了すると、ステップＳ４１５において、システム制御部１１０は、第２シャッタースイッチ信号ＳＷ２のオン／オフ状態を判定する。
【００９１】
第２シャッタースイッチ信号ＳＷ２がオンの場合は、ステップＳ４１５の判定を繰り返し、第２シャッタースイッチ信号ＳＷ２がオフになるのを待つ。この間、上記クィックレビューの表示を継続させる。即ち、ステップＳ４１４の記録処理が終了した際に、第２シャッタースイッチ信号ＳＷ２がオフになるまで画像表示部２３におけるクィックレビュー表示を継続させる。
【００９２】
このように構成することにより、操作者は、レリーズボタン４の全押し状態を継続することで、クィックレビューを用いた撮影画像データの確認を入念に行うことが可能となる。
【００９３】
操作者がレリーズボタン４を全押し状態にして撮影を行った後、レリーズボタン４から手を放す等して全押し状態が解除されると、処理はステップＳ４１５からステップＳ４１６へ進む。
【００９４】
ステップＳ４１６において、システム制御部１１０は、予め定められたレビュー時間が経過したか否かを判定し、レビュー時間が経過していればステップＳ４１７に進む。ステップＳ４１７において、システム制御部１１０は、画像表示部２３の表示状態をクィックレビュー表示からスルー表示状態に戻す。
【００９５】
この処理により、クィックレビュー表示によって撮影画像データを確認した後、画像表示部２３の表示状態は、次の撮影のために撮像部１０４からの画像データを逐次表示するスルー表示状態に自動的に切り替わることになる。
【００９６】
そして、ステップＳ４１８において、システム制御部１１０は、第１シャッタースイッチ信号ＳＷ１のオン／オフを判定し、第１シャッタースイッチ信号ＳＷ１がオンの場合はステップＳ４０９へ、オフの場合はステップＳ４０５へ処理を戻す。
【００９７】
即ち、レリーズボタン４の半押し状態が継続している（第１シャッタースイッチ信号ＳＷ１がオン）場合は、システム制御部１１０は次の撮影に備える（ステップＳ４０９）。一方、レリーズボタン４が放された状態（第１シャッタースイッチ信号ＳＷ１がオフ）であったならば、システム制御部１１０は、一連の撮影動作を終えて撮影待機状態に戻る（ステップＳ４０５）。
【００９８】
［顔検出処理］
図５は、図４のステップＳ４０６で実行される顔検出処理の手順を示すフローチャートである。
【００９９】
ステップＳ５０１において、システム制御部１１０は、顔検出対象の画像データを画像処理部１１１に送る。ステップＳ５０２において、システム制御部１１０の制御下で画像処理部１１１は、当該画像データに水平方向バンドパスフィルタを作用させる。
【０１００】
また、ステップＳ５０３において、システム制御部１１０の制御下で画像処理部１１１は、ステップＳ５０２で処理された画像データに垂直方向バンドパスフィルタを作用させる。これら水平及び垂直方向のバンドパスフィルタにより、画像データよりエッジ成分が検出される。
【０１０１】
その後、ステップＳ５０４において、システム制御部１１０は、検出されたエッジ成分に関してパターンマッチングを行い、目及び鼻、口、耳の候補群を抽出する。
【０１０２】
そして、ステップＳ５０５において、システム制御部１１０は、ステップＳ５０４で抽出された目の候補群の中から、予め設定された条件（例えば２つの目の距離、傾き等）を満たすものを、目の対と判定し、目の対があるもののみ目の候補群として絞り込む。
【０１０３】
そして、ステップＳ５０６において、システム制御部１１０は、ステップＳ５０５で絞り込まれた目の候補群とそれに対応する顔を形成する他のパーツ（鼻、口、耳）を対応付け、また、予め設定した非顔条件フィルタを通すことで、顔を検出する。
【０１０４】
ステップＳ５０７において、システム制御部１１０は、ステップＳ５０６による顔の検出結果に応じて上記顔情報を出力し、処理を終了する。
【０１０５】
以上のように、スルー表示で表示される画像データを用いて、画像データの特徴量を抽出して被写体情報を検出することが可能である。本実施の形態では、被写体情報として顔情報を例に挙げたが、被写体情報には他にも赤目判定等の様々な情報がある。
【０１０６】
［撮影処理］
図６は、図４のステップＳ４１２で実行される撮影処理の手順を示すフローチャートである。
【０１０７】
ステップＳ６０１において、システム制御部１１０は、撮影開始時にその日時をシステムタイマより取得し、システムメモリ１１７に記憶する。続いて、ステップＳ６０２において、システムメモリ１１７に記憶されている測光データに従い、絞り機能を有するシャッター１０３を絞り値に応じて開放する。こうして、撮像部１０４の露光が開始される（ステップＳ６０３）。
【０１０８】
ステップＳ６０４において、システム制御部１１０は、測光データに従って撮像部１０４の露光終了を待つ。露光終了時刻に到達すると、ステップＳ６０５において、システム制御部１１０はシャッター１０３を閉じる。
【０１０９】
そして、ステップＳ６０６において、システム制御部１１０は、撮像部１０４から電荷信号を読み出し、Ａ／Ｄ変換器１０５、画像処理部１１１、メモリ制御部１０９を介して、メモリ１１２に画像データを書き込む。あるいは、システム制御部１１０は、Ａ／Ｄ変換器１０５から直接メモリ制御部１０９を介して、メモリ１１２に画像データを書き込む。
【０１１０】
上記ステップＳ６０１〜Ｓ６０６が露光処理に対応する。
【０１１１】
続いて、ステップＳ６０７において、システム制御部１１０は、メモリ制御部１０９そして必要に応じて画像処理部１１１を用いて、メモリ１１２に書き込まれた画像データを読み出して画像処理を順次施す。
【０１１２】
この画像処理は、例えば、ホワイトバランス処理や、圧縮／伸張部１１３を用いた圧縮処理等が含まれる。処理を終えた画像データはメモリ１１２に書き込まれる。
【０１１３】
そして、ステップＳ６０８において、システム制御部１１０は、メモリ１１２から画像データを読み出し、これを圧縮／伸張部１１３を用いて伸張し、画像表示部２３の表示用にリサイズする。
【０１１４】
そして、システム制御部１１０は、メモリ制御部１０９を介してリサイズされた画像データを画像表示部２３に表示するべくＤ／Ａ変換器１０８に転送する。一連の処理を終えたならば、撮影処理を終了する。
【０１１５】
［記録処理］
図７は、図４のステップＳ４１４で実行される撮影シーケンスにおいて生成された画像データの記録処理の手順を示すフローチャートである。
【０１１６】
記録処理を開始すると、ステップＳ７０１において、システム制御部１１０は、図９により後述するファイル名生成ルールに則り記録対象の画像データに対するファイル名を生成する。
【０１１７】
次に、ステップＳ７０２において、図６のステップＳ６０１でシステムメモリ１１７に記憶した日時情報を取得する。次に、ステップＳ７０３において、当該記録対象の画像データのデータサイズを取得する。
【０１１８】
ステップＳ７０４において、システム制御部１１０は、当該画像データから生成した画像ファイルを格納するべきディレクトリが記録媒体２００に存在するか否かを判定する。ディレクトリが存在しない場合は、ステップＳ７０５に処理が進む。
【０１１９】
ステップＳ７０５において、システム制御部１１０は、画像ファイルを格納するためのディレクトリを生成する。尚、ディレクトリ名の生成ルールは図９により後述する。ここでは、１００ＣＡＮＯＮ（図９の９０２）が作成されるものとする。
【０１２０】
続いて、ステップＳ７０６において、システム制御部１１０は、上記撮影処理（図６）のステップＳ６０７においてメモリ１１２に格納された画像データに対し、撮影日時や撮影時条件等から構成されるファイルヘッダを生成する。
【０１２１】
尚、ヘッダの生成処理については図８を用いて後述する。また、以上のようにして生成された画像ファイルの構成については、図９を用いて後述する。
【０１２２】
ヘッダ生成の完了後、ステップＳ７０７において、システム制御部１１０は、ステップＳ７０１で取得したファイル名及びステップＳ７０３で取得した日時情報からディレクトリエン通りを生成し、画像ファイルを記録媒体２００に記録し、記録処理を終了する。
【０１２３】
［ヘッダ生成処理］
図８は、図７のステップＳ７０６で実行されるヘッダ生成処理の手順を示すフローチャートである。
【０１２４】
ヘッダ生成を開始すると、システム制御部１１０は、ステップＳ８０１において、ステップＳ４０５（図４）で設定された分類情報の自動付与入／切設定の設定値をシステムメモリ１１７より取得し、撮影画像データに分類情報を自動付与するか否かを判定する。分類情報の自動付与入／切設定の設定値が「切」で、自動付与を行わない場合は、ステップＳ８０９に進む。
【０１２５】
ステップＳ８０１の判定において、分類情報の自動付与入／切設定の設定値が「入」となっており、分類情報の自動付与を行うと判定されると、処理はステップＳ８０２に進む。
【０１２６】
ステップＳ８０２において、システム制御部１１０は、図４におけるステップＳ４０６の顔検出処理でシステムメモリ１１７に保持された顔情報を読み出し、顔が検出されたか否かを判定する。
【０１２７】
顔情報により顔が検出されたと判定された場合は、ステップＳ８０４に進み、「人物」という分類情報を付与する。ステップＳ８０２で顔が検出されたと判定されなかった場合はステップＳ８０３に進む。
【０１２８】
ステップＳ８０３において、システム制御部１１０は、システムメモリ１１７に格納された当該画像撮影時のシーンモードを参照する。ステップＳ８０３では、シーンモードが人物撮影を行っていると類推される「ポートレートモード」、「ナイトスナップモード」、「キッズ＆ペットモード」のいずれかに該当するか否かを判定し、該当する場合はステップＳ８０４に進む。
【０１２９】
ステップＳ８０４において、システム制御部１１０は、当該画像データに「人物」という分類情報を付与する。ステップＳ８０４で「人物」という分類情報を付与した場合と、ステップＳ８０３でシーンモードが上記のいずれにも該当しないと判定された場合はステップＳ８０５に進む。
【０１３０】
以上のように、ステップＳ８０２〜Ｓ８０４では、被写体情報である顔情報と、撮影時のカメラの設定条件であるシーンモードの双方から同一の分類情報である「人物」が付与される。
【０１３１】
被写体情報と撮影時のカメラの設定条件は、撮影の際には異なるパラメータであるが、撮影後には内容によっては同じような意味合いを持つことがある。上記では、被写体情報である顔情報と、撮影時のカメラの設定条件である「ポートレートモード／ナイトスナップモード／キッズ＆ペットモード」等は、ともに“人物を撮影したと類推される”という同じ意味合いを持つ。
【０１３２】
従って、このような情報を持つ画像データに同一の分類情報を付与することで、撮影後の操作（検索操作等）の利便性が向上する。即ち、特定の被写体情報と特定の撮影時のカメラの設定条件の双方を用いて同一の分類情報を付与することにより、撮影の際のパラメータとは異なる、検索等の撮影後の操作に適した分類情報を付与することができ、利便性を向上することが可能である。
【０１３３】
また、上記分類情報の付与処理によれば、シーンモードから付与する分類情報についても、ポートレートモード／ナイトスナップモード／キッズ＆ペットモードと、複数の異なるシーンモードについて同一の分類情報が付与される。
【０１３４】
異なるシーンモードでは撮影時のカメラの設定条件は異なるが、撮影後は同じ意味合いを持つものがある。ここで例に挙げたポートレートモード／ナイトスナップモード／キッズ＆ペットモードはいずれも“人物を撮影したと類推される”という同じ意味合いを持つ。
【０１３５】
従って、このようなものに同一の分類情報を付与することで、検索等の撮影後の利便性が向上する。即ち、撮影時のカメラの設定条件のうち、複数種類の特定の設定条件に同一の分類情報を付与することで、撮影の際のパラメータとは異なる、検索等の撮影後の操作に適した分類情報を付与することが可能となり、撮影後の操作の利便性を向上することができる。
【０１３６】
ステップＳ８０５では、シーンモードが風景撮影を行っていると類推される「新緑＆紅葉モード」、「風景モード」、「花火モード」のいずれかに該当するか否かを判定し、該当する場合はステップＳ８０６へ進む。
【０１３７】
ステップＳ８０６において、システム制御部１１０は、当該画像データに「風景」という分類情報を付与する。ステップＳ８０６で「風景」という分類情報を付与した場合と、ステップＳ８０５でシーンモードが上記のいずれでもないと判定された場合はステップＳ８０７に進む。
【０１３８】
ステップＳ８０７では、シーンモードが、何かのイベントを撮影したと類推される「パーティモード」、「スノーモード」、「ビーチモード」、「花火モード」、「水族館モード」、「水中モード」のいずれかに該当するか否かを判定する。該当する場合はステップＳ８０８へ進む。
【０１３９】
ステップＳ８０８において、システム制御部１１０は、「イベント」という分類情報を当該画像データに付与する。
【０１４０】
上記処理では、「花火モード」で撮影された画像データには、「風景」及び「イベント」という２つの分類情報が付与される。即ち、１つのシーンモードから複数の分類情報が付与されることになる。
【０１４１】
撮影時のカメラの設定条件（シーンモード）が同じでも、撮影後には複数の意味合いを持つことがあり、上記「花火モード」はその一例である。そして、システム制御部１１０は、このような場合に、撮影後の意味合いに応じた複数の分類情報を付与する。
【０１４２】
こうして、撮影の際のパラメータとは異なる、検索等の撮影後の操作に適した分類情報を付与することが可能となり、デジタルカメラにおける撮影後の操作の利便性を向上することが可能である。
【０１４３】
尚、ステップＳ８０３、Ｓ８０５、Ｓ８０７のいずれの判定でも否定される「オートモード」、「マニュアルモード」やその他のシーンモードでは分類情報は付与されない。
【０１４４】
以上のようにしてヘッダ内の分類情報付与を完了すると、ステップＳ８０９に進む。ステップＳ８０９において、システム制御部１１０は、分類情報、撮影日時情報等の撮影時設定値等を用いてヘッダ情報を作成し、本処理を完了する。
【０１４５】
尚、ステップＳ８０１で分類情報の自動付与入／切設定の設定値が「切」になっている場合は、分類情報の設定（ステップＳ８０２〜Ｓ８０８）はスキップされ、分類情報のないヘッダ情報が生成されることになる。
【０１４６】
以上のように撮影の際に自動で、検索時等に用いる分類情報を付与することにより、再生画像データを見ながら分類する従来の画像ファイルの仕分け作業を行うことなく、再生モードにおいて直ちに画像データを分類することが可能となる。
【０１４７】
また、分類の概念が撮影時のカメラの設定条件と被写体情報の双方から生成されるため、より画像データ検索時等の撮影後の概念に適した分類情報を生成することが可能となる。
【０１４８】
尚、上記では分類情報が自動付与される撮影時のカメラの設定条件としていくつかのシーンモードを例に挙げたが、撮影時のカメラの設定条件であればこれに限定されるものではない。
【０１４９】
撮影時のカメラの設定条件による分類情報付与のその他の例として、マニュアルモードで撮影した際に、遠景で撮影していれば風景を撮影したと類推して「風景」の分類情報を付与してもよい。また、セルフタイマで撮影していれば、類推される「人物」か「イベント」の少なくとも一方の分類情報を付与すること等も考えられる。
【０１５０】
尚、被写体情報も顔情報を例として挙げたがこれに限定されるものではなく、赤目判定情報等を用いてもよい。例えば、赤目を検出すれば「人物」の分類情報を付与する等が考えられる。また、自動付与する分類情報もユーザが撮影後に便利に利用できる情報であれば、ここで例示した「人物」「イベント」「風景」の３種類に限られるものではない。
【０１５１】
［ディレクトリ及びファイル構成］
図９は、図２における記録媒体に記録されるディレクトリ構成例を示す図である。
【０１５２】
以下、図９を用いてディレクトリ名及びファイル名の生成ルールについて説明する。
【０１５３】
ルートディレクトリにＤＣＩＭディレクトリ９０１が記録され、ＤＣＩＭディレクトリ９０１には８文字から生成されるサブディレクトリが生成される。サブディレクトリが保持するサブディレクトリ名は、先頭３文字が数字で構成される。
【０１５４】
先頭３文字の数字は１００から始まり、ディレクトリを生成する毎に１ずつインクリメントされる。図９では、１００ＣＡＮＯＮ９０２、１０１ＣＡＮＯＮ９０３が示されている。サブディレクトリ９０２の配下には、本実施の形態のデジタルカメラが作成するファイルが作成される。
【０１５５】
ここで生成されるファイル名は、８文字のファイル名とファイルの種類を示す３文字の拡張子から構成される。ファイル名のうち後ろ４文字は０００１から始まる数字で構成され、静止画記録モードにおいては撮影毎に１ずつインクリメントされたファイル名が付与される。以下、この後ろ４文字の数字で示される番号をファイル番号と呼ぶ。
【０１５６】
尚、静止画の場合は拡張子としてＪＰＧが付与され、動画記録モードにおいて記録される動画像ファイルには拡張子としてＡＶＩが付与される。また、管理情報を記録するサムネイルファイルには拡張子としてＴＨＭが付与される。
【０１５７】
［ファイル構造］
図１０は、図２における記録媒体に記録する静止画像ファイルのデータの構造例を示す図である。
【０１５８】
画像ファイル１００１は先頭に画像ファイルの開始を示すマーカ（ＳＯＩ）１００２を有し、その後にヘッダ部に相当するアプリケーションマーカ（ＡＰＰ１）１００３を有する。アプリケーションマーカ（ＡＰＰ１）１００３内には、
・サイズ（ＡＰＰ１  Ｌｅｎｇｔｈ）１００４、
・アプリケーションマーカの識別コード（ＡＰＰ１  Ｉｄｅｎｔｉｆｉｅｒ  Ｃｏｄｅ）１００５、
・画像データの作成日時（Ｄａｔｅ  Ｔｉｍｅ）１００６、
・画像データが生成された日時（Ｄａｔｅ  Ｔｉｍｅ  Ｏｒｉｇｉｎａｌ）１００７、
・画像データの分類情報１０１８、
・顔情報１０１９、
・その他の撮影情報１００９、及び前述したサムネイル画像（Ｔｈｕｍｂｎａｉｌ  Ｄａｔａ）１０１０から構成される。
【０１５９】
ここで、分類情報１０１８は、図８により前述したように、撮影の際のパラメータとは異なる、検索等の撮影後の操作に適した情報である。この分類情報１０１８としては、図８において述べた「人物」、「風景」、「イベント」が撮影時に単数あるいは複数個格納可能である。
【０１６０】
更に、汎用的な分類情報として「カテゴリ１」、「カテゴリ２」、「カテゴリ３」といった分類情報が格納可能である。また、通信部１２２によりＰＣ等への外部機器に画像データを転送する際に、転送先でメール送信等の特別な処理を促すための「作業用」といった分類情報を後述する再生モードにおいて格納可能となっている。
【０１６１】
上記図８の処理によって自動的には付与されないこれらの分類情報は、後述する所定のユーザ操作により、所望の画像データに付与される。また撮影時に自動付与される分類情報は、図１５を用いて後述する再生モードにおいて編集することが可能である。
【０１６２】
以上のように撮影時に自動付与される分類情報の他にも、再生モードで画像データを見ながらゆっくり分類するための分類情報を付与することで、より利便性の高い分類が可能となる。
【０１６３】
また顔情報１０１９は前述した顔検出処理（図４のステップＳ４０６）により生成された情報であり、検出された顔の位置座標、サイズ（幅、高さ）、検出個数、信頼性係数等を、検出された個数分有する。
【０１６４】
また、画像ファイル１００１に記録される画像データは、量子化テーブル（ＤＱＴ）１０１２、ハフマンテーブル（ＤＨＴ）１０１３、フレーム開始マーカ（ＳＯＦ）１０１４、スキャン開始マーカ（ＳＯＳ）１０１５及び圧縮データ１０１６から構成される。そして、画像ファイルデータの最後を示すマーカ（ＥＯＩ）１０１７で終端される。
【０１６５】
［動画記録モード処理］
次に、図３のステップＳ３１１における動画記録モード処理について説明する。システム制御部１１０は、モード切替スイッチ６が「動画記録モード」にセットされると、次に撮影モードを確定する。
【０１６６】
本実施の形態では、動画記録モードでの撮影モードも静止画記録モードのものと同様のものとして説明する。但し、もちろん動画撮影に特化した撮影モードを有する構成とすることも可能である。
【０１６７】
図１１は、図３のステップＳ３１１で実行される動画記録モード処理の手順を示すフローチャートである。
【０１６８】
システム制御部１１０は、動画記録モードで第２シャッタースイッチ信号ＳＷ２のオンを検出すると、図１１に示す動画記録モード処理を開始する。
【０１６９】
まず、ステップＳ１１０１において、システム制御部１１０は、撮像部１０４において撮像された画像データを所定のフレームレートでメモリ１１２に順次格納する。また、これと同時に、システム制御部１１０は、マイク２１、音声制御部１０６、Ａ／Ｄ変換器１０５を介して得られた音声データを、同じくメモリ１１２に格納する。本実施の形態では、音声データとしてＰＣＭ形式のデジタルデータを想定している。
【０１７０】
続いて、ステップＳ１１０２において、システム制御部１１０は、メモリ１１２に格納された画像データに対して、ファイルに記録するための画像サイズ変換等の画像処理を施す。そして、ステップＳ１１０３において、画像処理が施された画像データに対して圧縮処理を行い、メモリ１１２に格納する。
【０１７１】
図１２は、図２における記録媒体に記録する動画データの格納フォーマットを示す図である。
【０１７２】
データの先頭部には映像のフレームレートや音声のサンプリングレートといったデータからなる固定長のヘッダ領域１２０１が配置される。そして、ヘッダ領域１２０１の直後に所定の記録単位（本実施の形態では１秒間）の音声データを格納する固定長の音声データ領域１２０２が配置される。
【０１７３】
音声データは、マイク２１に入力された音声を音声制御部１０６及びＡ／Ｄ変換器１０５を通してデジタルデータにサンプリングして得られたものであり、メモリ１１２に格納されている。
【０１７４】
音声データ領域１２０２の直後から所定のフレームレートで記録されたフレームデータ１２０３〜１２０６が順次メモリ１１２上に格納される。こうして、所定の記録単位で、音声データとフレームデータが順次生成、格納されて、動画データが生成される。
【０１７５】
以上のようにして１秒間のデータが蓄積されると、ステップＳ１１０４において、システム制御部１１０は、動画像並びに音声の記録処理と並列して、メモリ１１２に蓄積された動画データを記録媒体２００に記録する記録処理を開始する。システム制御部１１０は、以上のステップＳ１１０１〜Ｓ１１０４の処理を、動画停止要求を検出するまで繰り返す（ステップＳ１１０５）。
【０１７６】
尚、動画停止要求は、第２シャッタースイッチ信号ＳＷ２のオンの再検出、記録媒体２００の空き容量の不足の検出、あるいはメモリ１１２の空き要領の不足の検出によって発生される。
【０１７７】
図９は前述した通り、デジタルカメラにおける記録処理の結果、記録媒体２００に記録されるディレクトリ構成例を示したものである。動画記録モードにおいて記録される動画像ファイルには、拡張子ＡＶＩ９１５、９１７が付与され、管理情報を記録するサムネイルファイルには、拡張子ＴＨＭ９１６、９１８が付与される。
【０１７８】
動画停止要求に応じて動画記録処理が停止すると、処理はステップＳ１１０５からステップＳ１１０６へ進む。
【０１７９】
ステップＳ１１０６において、システム制御部１１０は、メモリ１１２に残った動画データを記録媒体２００に書き込んだ後、各音声データ／映像データへのオフセットやサイズを格納したインデックス情報１２１８を記録する。そして、ステップＳ１１０７において、システム制御部１１０は、トータルフレーム数等のヘッダ情報を生成する。
【０１８０】
ステップＳ１１０８において、システム制御部１１０は、トータルのデータサイズをディレクトリエン通りに記載し、その情報を記録媒体２００に記録する。こうして、動画ファイルの記録が完了する。
【０１８１】
続いて、ステップＳ１１０９において、動画ファイルの管理情報を前述した動画ファイル名と同一番号を有し、拡張子にＴＨＭを有するサムネイルファイル（例えばＭＶＩ＿０００５．ＴＨＭ（９１６））に生成する。以下、サムネイルファイルの構成及び生成・記録処理について図１３を用いて説明する。
【０１８２】
［サムネイルファイルの構成と記録処理］
動画記録で生成するサムネイルファイルは、画像ファイルと同様の図１０に示すファイル構造を有している。但し、サムネイルデータを記録する領域１０１０は有しておらず、サムネイル画像は圧縮データ（Ｃｏｍｐｒｅｓｓｅｄ  ｄａｔａ）１０１６に記録される。
【０１８３】
サムネイルファイル１００１は先頭に画像開始を示すマーカ（ＳＯＩ）１００２を有し、その後にアプリケーションマーカ（ＡＰＰ１）１００３を有する。アプリケーションマーカ１００３内には、
・サイズ（ＡＰＰ１  Ｌｅｎｇｔｈ）１００３、
・アプリケーションマーカの識別コード（ＡＰＰ１  Ｉｄｅｎｔｉｆｉｅｒ  Ｃｏｄｅ）１００５、
・画像データの作成日時（Ｄａｔｅ  Ｔｉｍｅ）１００６、
・画像データが生成された日時（Ｄａｔｅ  Ｔｉｍｅ  Ｏｒｉｇｉｎａｌ）１００７、
・画像データの分類情報１０１８、
・顔情報１０１９、
・その他の撮影情報１００９から構成される。
【０１８４】
サムネイルファイルの画像データは動画記録開始時の先頭フレームの縮小画像である。画像データは、量子化テーブル（ＤＱＴ）１０１２、ハフマンテーブル（ＤＨＴ）１０１３、フレーム開始マーカ（ＳＯＦ）１０１４、スキャン開始マーカ（ＳＯＳ）１０１５及び縮小画像に対応する圧縮データ１０１６から構成される。画像データは、画像データの最後を示すマーカ（ＥＯＩ）１０１７で終端される。
【０１８５】
図１３は、図１１のステップＳ１１０９で実行されるサムネイル記録処理の手順を示すフローチャートである。
【０１８６】
ステップＳ１３０１において、システム制御部１１０は、サムネイル用画像を生成する。本実施の形態では、メモリ１１２に格納されている動画像データの先頭フレームを所定の画像サイズに変換する等の画像処理を施してサムネイル用画像が生成される。
【０１８７】
次に、ステップＳ１３０２において、圧縮／伸張部１１３がステップＳ１３０１で生成されたサムネイル画像に対して圧縮処理を行う。そして、ステップＳ１３０３において、図１０を参照して説明したアプリケーションマーカ１００３で構成されるヘッダを生成する。この処理に関しては図８により上述した通りである。
【０１８８】
ヘッダの生成を完了すると、ステップＳ１３０４において、システム制御部１１０は、ヘッダ及びサムネイル画像データを含むサムネイルファイルを記録媒体２００に書き込み、サムネイル生成処理を終了する。
【０１８９】
［受信モード処理］
図１４は、図３のステップＳ３１３におけるその他のモードの処理の一つとして実行される受信モード処理の手順を示すフローチャートである。
【０１９０】
装置本体１のモード切替スイッチ６０を受信モードに切り替えると、図１４の受信処理が行われる。尚、以下では、外部装置（通信対象機器）より画像ファイルを受信し、記録媒体２００に記録する処理を説明する。
【０１９１】
ステップＳ１４０１において、システム制御部１１０は、通信対象機器の存在を確認する。通信対象機器が存在しないと判定された場合は、当該受信処置を終了する。通信対象機器が存在すると判定された場合、システム制御部１１０は、ステップＳ１４０２において送信要求の有無を判定する。
【０１９２】
送信要求がないと判定された場合は、処理をステップＳ１４０１に戻し、再度通信対象機器の有無を確認し、送信要求を待つ。一方、送信要求があると判定された場合、ステップＳ１４０３において、システム制御部１１０は、通信対象機器から通信部１２２を通してデータを受信し、受信したデータを一時的にメモリ１１２に保持する。
【０１９３】
そして、ステップＳ１４０４において、システム制御部１１０は、受信したデータを記録媒体２００に書き込む。このとき、受信データのヘッダ部に分類情報が含まれる場合はそのまま記録媒体２００に記録し、分類情報が含まれない場合は、図８に示した処理と同様の処理によって新たに分類情報を付与してもよい。
【０１９４】
この場合、撮影時のカメラの設定条件は受信データのヘッダ部を参照して取得する。例えば、受信データのヘッダ部に含まれる顔情報１０１９や、その他の撮影情報１００９に含まれる撮影モード（シーンモード）情報等が参照される。また、被写体情報は受信データのヘッダ部を参照して取得してもよいし、受信画像データを解析して新たに検出してもよい。
【０１９５】
書き込み完了後、処理はステップＳ１４０１に戻り、再度通信対象機器の有無を確認し、送信要求を待つ。通信対象機器がないと判定されたならば当該処理を抜ける。
【０１９６】
［再生モード処理］
図１５は、図３のステップＳ３１２で実行される再生モード処理の手順を示すフローチャートである。
【０１９７】
ステップＳ１５０１において、システム制御部１１０は、記録媒体２００から最新画像情報を取得する。最新画像情報の取得を総枚数計算や検索リスト作成よりも先に行うことで、再生モードに入るとすばやくそれらの処理の画像表示ができるというメリットがある。
【０１９８】
ステップＳ１５０２において、システム制御部１１０は、ステップＳ１５０１における最新画像情報の取得が正しく行われたかどうかをチェックする。最新画像情報を取得できなかった場合、処理はステップＳ１５０９に進む。
【０１９９】
ステップＳ１５０９において、システム制御部１１０は、画像なし時の入力待ち状態となる。このステップＳ１５０９の処理は図１６のフローチャートにより後述する。
【０２００】
尚、最新画像情報を取得できない場合とは、画像が１枚もないような状態や、メディア不良によって画像情報が取得できなかったような状態等が考えられる。最新画像情報が取得できれば、少なくとも画像が１枚は存在すると判定され、処理はステップＳ１５０３へ進む。
【０２０１】
ステップＳ１５０３において、システム制御部１１０は、ステップＳ１５０１で取得した最新画像情報を元に記録媒体２００から最新画像データを読み込む。そして、ステップＳ１５０４において、システム制御部１１０は、ファイル解析処理を行い、読み込んだ最新画像データにおける画像の撮影情報や属性情報等を取得する。
【０２０２】
ステップＳ１５０５において、システム制御部１１０は、読み込んだ最新画像データを表示する。更に、このとき、ステップＳ１５０４で取得された撮影情報や属性情報等も表示する。また、ステップＳ１５０４のファイル解析結果に応じて、ファイルの一部が壊れている等不正なデータということが判ればエラー表示も合わせて行われる。
【０２０３】
ステップＳ１５０６において、システム制御部１１０は、記録媒体２００に記録されている画像の総枚数取得処理を開始する。このステップＳ１５０６の処理はバックグランドで稼動し、その完了を待たずに次の処理に進むことができる。
【０２０４】
このようにすることで、多くの画像データが記録媒体２００に納められており、総枚数計算に時間が掛かるような場合でも、総枚数の計算の完了を待たずに画像を閲覧することが可能になる。
【０２０５】
この処理は、記録モードから再生モードに移行した際に、記録モードで新たに画像データが記録、あるいは削除され、総枚数に違いが発生した場合に特に有効な処理である。記録モードで新たに画像データが記録あるいは削除されていない場合には、既に計算済みの総枚数を利用するため、総枚数計算の処理は行わなくてもよい。
【０２０６】
次に、ステップＳ１５０７において、システム制御部１１０は、検索リストの作成を開始する。検索リストとは画像データに付与された属性情報を予め取得し管理するリストである。予め検索リストを作っておくことで属性毎の再生や消去といった処理を迅速に行うことが可能となる。検索リスト作成処理も総枚数計算同様にバックグランドで実行されるので、その完了を待たずに次の処理を実行させることができる。
【０２０７】
ステップＳ１５０８において、システム制御部１１０は、入力待ち状態に入る。この入力待ち状態における処理は図１７のフローチャートにより後述する。
【０２０８】
［再生モード処理における画像なし時の入力待ち処理］
図１６は、図１５のステップＳ１５０９で実行される再生モードにおける画像なし時入力待ち処理の手順を示すフローチャートである。
【０２０９】
まず、ステップＳ１６０１において、システム制御部１１０は、画像データがないことを操作者に通知するべく、「画像がありません」というメッセージ表示を画像表示部２３において行う。
【０２１０】
次に、ステップＳ１６０２において、システム制御部１１０は、操作入力を待つ。ここでいう操作入力とはユーザによるスイッチ、電池蓋に対する操作や、電源の低下等を知らせるイベント等が含まれる。
【０２１１】
何らかの入力があった場合、処理はステップＳ１６０３へ進み、システム制御部１１０は、当該入力が終了スイッチだったかどうかチェックする。
【０２１２】
終了スイッチと判定された場合は、再生モード処理を終了し、図３のステップＳ３１４へ進む。一方、操作入力が終了スイッチ以外だった場合は、ステップＳ１６０４へ進み、当該操作入力に対応する処理が行われる。例えば、画像データがなくてもメニュースイッチの操作が入力された場合は、画像表示部２３にメニュー表示を行い、ユーザが設定変更等を行えるようにする。
【０２１３】
［再生モード処理における再生入力待ち処理］
図１７は、図１５のステップＳ１５０８で実行される再生モード処理における再生入力待ち処理の手順を示すフローチャートである。
【０２１４】
ステップＳ１７０１において、システム制御部１１０は、ユーザによる操作入力があるかどうかをチェックする。ここでいう操作入力とは、ユーザによるスイッチ、電池蓋に対する操作や、電源の低下等を知らせるイベント等が含まれる。何も入力がなければ入力があるまで待つ。何らかの操作入力があった場合、処理はステップＳ１７０２へ進む。
【０２１５】
ステップＳ１７０２において、システム制御部１１０は、当該操作入力が操作スイッチ８に含まれる画像送りスイッチの入力かどうかを判定する。
【０２１６】
操作入力が画像送りスイッチであった場合、処理はステップＳ１７０３へ進み、システム制御部１１０は次の表示画像を読み込む。画像送りスイッチは送り方向に応じた一対のスイッチで構成されており、操作されたスイッチに対応する送り方向に応じて次の表示画像が読み込まれることになる。
【０２１７】
次に、ステップＳ１７０４において、システム制御部１１０は、ステップＳ１７０３で読み込まれた画像データに対して撮影情報や属性情報等のファイル解析処理を行う。そして、ステップＳ１７０５において、システム制御部１１０は、ステップＳ１７０３で読み込んだ画像データの表示を行う。
【０２１８】
このとき、ステップＳ１７０４におけるファイル解析処理の結果を用いて、撮影情報や属性情報等を表示する。また、ステップＳ１７０４のファイル解析結果に応じて、ファイルの一部が壊れている等不正なデータと判別された場合は、エラー表示も合わせて行う。表示が完了するとステップＳ１７０１の入力待ち状態へ戻る。
【０２１９】
ステップＳ１７０２において入力が画像送りスイッチではないと判定された場合、ステップＳ１７０６において、システム制御部１１０は、当該操作入力が終了スイッチかどうかを判定する。
【０２２０】
終了スイッチであると判定された場合、処理はステップＳ１７０７へ進み、システム制御部１１０は、検索リスト作成処理を終了する。ここでは、検索リストが作成途中ならばその作成処理を中断させ、既に作成が完了していれば何も行わない。
【０２２１】
次にステップＳ１７０８において、システム制御部１１０は、総画像枚数計算の終了処理を行う。この処理もステップＳ１７０７の処理同様、総枚数計算がまだ途中だったならばその計算処理を中断し、既に完了していれば何も行わない。そして、再生モード処理を終了し、図３のステップＳ３１４へ進む。
【０２２２】
ステップＳ１７０６で操作入力が終了スイッチではないと判定された場合、処理はステップＳ１７０９へ進む。
【０２２３】
ステップＳ１７０９において、システム制御部１１０は、ステップＳ１５０６（図１５）で開始した総画像枚数計算の処理が完了しているかチェックする。そして、まだ完了していない場合はステップＳ１７０１の操作入力待ち状態へ戻る。このとき、まだ完了していない旨を伝えるメッセージやアイコン表示を行うことも考えられる。
【０２２４】
以上の処理により、画像送りスイッチによる画像送り操作と終了スイッチによる終了操作は画像枚数計算の完了を待たずに実行されるが、他の操作入力理は総画像枚数計算処理が完了するまでは無視されることになる。
【０２２５】
ステップＳ１７０９で総画像枚数が終了していると判定された場合、処理はステップＳ１７１０へ進む。
【０２２６】
ステップＳ１７１０において、システム制御部１１０は、操作スイッチ８の操作により分類情報設定メニューが選択されたかどうかを判定する。
【０２２７】
分類情報設定メニューが選択されたと判定された場合、処理はステップＳ１７１１へ進み、システム制御部１１０は分類情報設定モードの処理を実行する。ステップＳ１７１０において、分類情報設定メニューの選択ではなかった場合、処理はステップＳ１７１２へ進む。
【０２２８】
ステップＳ１７１２において、システム制御部１１０は、当該操作入力が操作スイッチ８に含まれる消去スイッチの操作であるかどうかを調べる。消去スイッチの操作入力であると判定された場合、処理はステップＳ１７１３へ進む。
【０２２９】
ステップＳ１７１３において、システム制御部１１０は、現在、画像表示部２３に表示されている画像データの消去を実行する。画像データの消去が完了するとステップＳ１７１４において消去後の総枚数をチェックする。総枚数が０になっていた場合はステップＳ１７１５へ進み、画像なし時入力待ち状態へ移る。この処理は、図１６により上述した通りである。
【０２３０】
一方、消去後に画像データが残っている場合はステップＳ１７１６へ進み、システム制御部１１０は、次の画像データを表示するべく、次の表示対象の画像データを読み込む。ここで表示対象となる画像データは、消去された画像データのファイル番号の次のファイル番号の画像データとする。
【０２３１】
尚、最新の画像データが消去された場合は、消去された画像データのファイル番号よりも１つ前のファイル番号の画像データを表示対象とする。
【０２３２】
ステップＳ１７１７において、システム制御部１１０は、ステップＳ１７１６で表示対象として読み込んだ画像データに対してファイル解析処理を行い、撮影情報や属性情報等を得る。
【０２３３】
そして、ステップＳ１７１８において、システム制御部１１０は、ステップＳ１７１６で読み込んだ画像データを画像表示部２３に表示する。このとき、ステップＳ１７１７で取得された撮影情報や属性情報等も表示する。
【０２３４】
また、ステップＳ１７１７のファイル解析結果に応じて、ファイルの一部が壊れている等不正なデータであると判定されたならば、その旨のエラー表示も行う。表示が完了するとステップＳ１７０１の操作入力待ち状態へ戻る。
【０２３５】
ステップＳ１７１２において当該操作入力が消去スイッチでない場合、処理はステップＳ１７１９に進む。
【０２３６】
ステップＳ１７１９において、システム制御部１１０は、図１５のステップＳ１５０７で開始された検索リスト作成処理が完了しているかどうかをチェックする。まだ検索リスト作成処理が完了していない場合は、ステップＳ１７０１の操作入力待ち状態へ戻る。このとき、上述した総枚数計算が完了していないときと同様に、まだ検索リスト作成処理が完了していない旨を伝えるメッセージやアイコン表示を行うようにしてもよい。
【０２３７】
以上の処理により、上述した処理以外の操作入力理は総画像枚数計算処理が完了するまでは無視されることになる。ここで、上述した処理とは、画像送り操作（Ｓ１７０２〜Ｓ１７０５）、終了操作（Ｓ１７０６〜Ｓ１７０８）、分類情報設定モードの実行（Ｓ１７１０、Ｓ１７１１））及び画像消去操作（Ｓ１７１２〜Ｓ１７１８）である。
【０２３８】
ステップＳ１７１９で検索リスト作成が完了していると判定された場合、処理はステップＳ１７２０へ進む。ステップＳ１７２０において、システム制御部１１０は、当該操作入力がジャンプ指示かどうかを判定する。操作入力がジャンプ指示であると判定された場合はステップＳ１７２１のジャンプモードへ遷移する。
【０２３９】
操作入力がジャンプ指示でない場合、処理はステップＳ１７２２に進み、システム制御部１１０は、当該操作入力が選択操作か否かを判定する。操作入力が選択操作と判定された場合はステップＳ１７２３の選択操作へ遷移する。ステップＳ１７２２で操作入力がジャンプ指示ではないと判定された場合、処理はステップＳ１７２４へ進む。
【０２４０】
ステップＳ１７２４ではそれ上記以外の操作入力に応じた処理を行う。例えば、画像の編集処理や、マルチ再生への切り替えや、メニュースイッチによるメニュー表示等である。尚、マルチ再生とは、画像データの縮小画像を画像表示部２３の一画面に複数枚並べて表示する再生モードである。
【０２４１】
図１７のステップＳ１７２４におけるその他の処理の１つとして、画像表示部２３に表示された画像ファイルに対して画像サイズ変換を行って新規に画像ファイルを記録する編集処理を実行することが可能である。
【０２４２】
［ワンセグＴＶモード］
次に、記録媒体であるＳＤカードの代わりにワンセグチューナーカードを装置本体１に差してワンセグＴＶを視聴するワンセグＴＶモードについて説明する。
【０２４３】
図１において、不図示のコネクタカバーを空けて記録媒体スロットにチューナーカードを差し込むことでワンセグＴＶを視聴する準備が整う。
【０２４４】
図１８は、図１のデジタルカメラにおけるワンセグ視聴状態のブロック図である。
【０２４５】
チューナーカード１０にはアンテナ２２１が内蔵され、受信した画像及び音声信号はチューナー部２２２に送られる。チューナー部２２２は内部にチャンネル設定、音量設定、画質等の各設定を保持するメモリ２２３を制御する制御部を有している。
【０２４６】
チューナーカード１０は、インターフェース２２４、コネクタ２２５を介して不図示の記録媒体スロットに備えられた装置本体１のコネクタ１１５と接続される。図２と同じ構成部材に関しては同じ番号を振り説明を省略する。
【０２４７】
次に、図１の状態で電源スイッチ３を押下すると、先述した図３のステップＳ３０２において、チューナーカードありとシステム制御部１１０は判定し、ステップＳ３０３のワンセグＴＶモードにデジタルカメラを遷移させる。
【０２４８】
図１９は、図１８のデジタルカメラによって実行されるワンセグＴＶモード処理の手順を示すフローチャートである。
【０２４９】
ワンセグＴＶモードに遷移すると、システム制御部１１０は、チューナーカード１０に給電を開始し、チューナー部２２２はメモリ２２３の各種設定を読み込み、ワンセグ放送の受信を開始する。
【０２５０】
受信した映像信号はメモリ１１２、メモリ制御部１０９、画像処理部１１１を介してＤ／Ａ変換器１０８でＤ／Ａ変換され、画像表示部２３に表示される。受信した音声信号はメモリ１１２、メモリ制御部１０９、Ｄ／Ａ変換器１０８、音声制御部１０６を介してスピーカ２２から発音される。
【０２５１】
次に、ステップＳ１８０１で操作スイッチ８の各種スイッチ等が押されると、ステップＳ１８０２へ進む。ステップＳ１８０２では、例えば、図１の十字スイッチ９の左右が押されるとチャンネルの選択が可能となっている。
【０２５２】
右キーを１回押す毎にチャンネルが順送りされ、左スイッチを１回押す毎にチャンネルが逆送りされる。この際、画像表示部２３にはチャンネル番号がＴＶ放送と重ねて表示されることにより操作性を向上させている。
【０２５３】
また、音声ボリュームは十字スイッチ９の上下キーで行われ、上キーを１回押す毎にボリュームが段階的にアップする。下キーでは段階的にダウンする。この際、画像表示部２３には音量がバーグラフでＴＶ放送と重ねて表示されることによりアップダウンが視認し易く操作性を向上させている。
【０２５４】
更に、通常撮影時のズーム動作に使用するズームレバー５を操作すると、視聴中の動画像が予め決められた倍率で段階的に拡大可能となっている。所望の拡大率にしたところで、十字スイッチ９の上下左右キーを押すと、放送中の画像の拡大場所が移動することもシステム制御部１１０、メモリ１１２、メモリ制御部１０９、画像処理部１１１によって可能となっている。このように、通常のＴＶ操作と異なったデジタルカメラ特有の操作がＴＶ視聴中に実施可能となっている。
【０２５５】
このような操作を経て操作者が所望の設定で視聴している際に、放送内容をキャプチャーしたくなる場合がある。例えば、クイズの懸賞の宛先等の静止画や気に入った車のＣＭ動画シーン等が挙げられる。操作者は図１のモード切替スイッチ６を切り替えることで、動画または静止画のキャプチャーが可能となっている。
【０２５６】
図２０は、図１のデジタルカメラのワンセグＴＶモードにおける静止画キャプチャーモードを示す外観図である。
【０２５７】
具体的には、図２０は、図１のデジタルカメラにおいて、静止画キャプチャーモードで液晶パネル７にクイズの懸賞宛先が表示された状態の図である。モード切替スイッチ６を静止画記録モードアイコン１ａに合わせると、図１９のステップＳ１８０３で、システム制御部１１０は静止画キャプチャーモードに分岐する。
【０２５８】
操作者がレリーズボタン４を、第１スイッチ（ステップＳ１８０５）を経て第２スイッチ（ステップＳ１８０４）まで押下することによって、宛先画面のキャプチャー動作（ステップＳ１８０６）が実行される。
【０２５９】
ステップＳ１８０６において、システム制御部１１０は、キャプチャーした画像データを画像処理部１１１及びメモリ制御部１０９を介してメモリ１１２に書き込む。ステップＳ１８０６は、動画像放送の静止画をキャプチャーする静止画キャプチャー手段として機能する。
【０２６０】
次に、システム制御部１１０は、ステップＳ１８０７において、画像表示部２３に対しキャプチャー動作で得られた画像データのクィックレビュー表示を行う。クィックレビューとは、キャプチャーした画像の確認のために、予め決められた時間（レビュー時間）だけ画像データを画像表示部２３に表示する処理である。
【０２６１】
クィックレビュー表示後、ステップＳ１８０８において、システム制御部１１０は得られた画像データを画像ファイルとして不揮発性メモリ１１６に対して書き込む記録処理を実行する。不揮発性メモリ１１６は、キャプチャー手段でキャプチャーされた画像を保存する保存手段として機能する。
【０２６２】
本実施の形態では、不揮発性メモリ１１６に対する記録を説明したが、チューナーカード１０が不揮発性メモリを備えている場合は、記録媒体としてチューナーカード１０に記録しても支障はない。ステップＳ１８０８の記録処理が終了すると、ステップＳ１８０１に戻る。
【０２６３】
ワンセグ視聴中にアナウンサーから「続いて応募の宛先です。メモの用意をお願いします」等のコメントが出た場合にあわてずにモード切替スイッチ６を静止画キャプチャーにすればよく、操作性が格段に向上した。
【０２６４】
図２１は、図１のデジタルカメラのワンセグＴＶモードにおける動画キャプチャーモードを示す外観図である。
【０２６５】
動画像キャプチャーの場合は、図２１のように、モード切替スイッチ６を動画記録モードアイコン１ｂに合わせる。図２１は、動画キャプチャーモードに設定され、液晶パネル７に気に入った車のＣＭ動画シーンが表示された状態の図である。システム制御部１１０は、図１９のステップＳ１８０３で動画キャプチャーモードに分岐する。  この状態で、操作者がレリーズボタン４を第１スイッチ（ステップＳ１８１０）を経て第２スイッチ（ステップＳ１８０９）まで押下することによって、宛先画面のキャプチャー動作（ステップＳ１８１１）が開始される。
【０２６６】
ステップＳ１８１１において、システム制御部１１０は、キャプチャーした画像データを不揮発性メモリ１１６に書き込む動作を開始する。ステップＳ１８１１は、動画像放送の動画をキャプチャーする動画キャプチャー手段として機能する。
【０２６７】
次に、システム制御部１１０は、ステップＳ１８１２において、再度、第２スイッチがオンされるかどうかを判断する。ステップＳ１８１２にて、第２スイッチがオンされなければ動画キャプチャーを継続する。一方、ステップＳ１８１２にて、第２スイッチがオンされると、ステップＳ１８１３に進む。
【０２６８】
ステップＳ１８１３では、ステップＳ１８１１にて開始した動画キャプチャー動作を停止する処理を実行する。
【０２６９】
本実施の形態では、不揮発性メモリに１１６対する記録を説明したが、チューナーカード１０が不揮発性メモリを備えている場合は、記録媒体としてチューナーカード１０に記録しても支障はない。ステップＳ１８１３の記録処理が終了すると、ステップＳ１８０１に戻る。
【０２７０】
ワンセグ視聴中に気に入ったシーンが見つかってもあわてずにモード切替スイッチ６を動画キャプチャーにすればよく、操作性が格段に向上した。
【０２７１】
以上説明したように、本実施の形態では、操作者が希望するキャプチャー形式を予め操作者が選択可能となっているため、操作者の目的にあったキャプチャーをストレスなく行えるようになった。
【図面の簡単な説明】
【０２７２】
【図１】本発明の実施の形態に係る撮像装置としてのデジタルカメラの外観斜視図である。
【図２】図１のデジタルカメラにおけるカメラ使用状態のブロック図である。
【図３】図２のデジタルカメラによって実行される全体処理の手順を示すフローチャートである。
【図４】図３のステップＳ３１０で実行される静止画記録モード処理の手順を示すフローチャートである。
【図５】図４のステップＳ４０６で実行される顔検出処理の手順を示すフローチャートである。
【図６】図４のステップＳ４１２で実行される撮影処理の手順を示すフローチャートである。
【図７】図４のステップＳ４１４で実行される撮影シーケンスにおいて生成された画像データの記録処理の手順を示すフローチャートである。
【図８】図７のステップＳ７０６で実行されるヘッダ生成処理の手順を示すフローチャートである。
【図９】図２における記録媒体に記録されるディレクトリ構成例を示す図である。
【図１０】図２における記録媒体に記録する静止画像ファイルのデータの構造例を示す図である。
【図１１】図３のステップＳ３１１で実行される動画記録モード処理の手順を示すフローチャートである。
【図１２】図２における記録媒体に記録する動画データの格納フォーマットを示す図である。
【図１３】図１１のステップＳ１１０９で実行されるサムネイル記録処理の手順を示すフローチャートである。
【図１４】図３のステップＳ３１３におけるその他のモードの処理の一つとして実行される受信モード処理の手順を示すフローチャートである。
【図１５】図３のステップＳ３１２で実行される再生モード処理の手順を示すフローチャートである。
【図１６】図１５のステップＳ１５０９で実行される再生モードにおける画像なし時入力待ち処理の手順を示すフローチャートである。
【図１７】図１５のステップＳ１５０８で実行される再生モード処理における再生入力待ち処理の手順を示すフローチャートである。
【図１８】図１のデジタルカメラにおけるワンセグ視聴状態のブロック図である。
【図１９】図１８のデジタルカメラによって実行されるワンセグＴＶモード処理の手順を示すフローチャートである。
【図２０】図１のデジタルカメラのワンセグＴＶモードにおける静止画キャプチャーモードを示す外観図である。
【図２１】図１のデジタルカメラのワンセグＴＶモードにおける動画キャプチャーモードを示す外観図である。
【符号の説明】
【０２７３】
１  装置本体
６  モード切替スイッチ
７  液晶パネル
８  操作スイッチ
９  十字スイッチ
１０  チューナーカード
２３  画像表示部
１１０  システム制御部
１１５  コネクタ
【図１】
2009225315.tif 000003
【図２】
2009225315.tif 000004
【図３】
2009225315.tif 000005
【図４】
2009225315.tif 000006
【図５】
2009225315.tif 000007
【図６】
2009225315.tif 000008
【図７】
2009225315.tif 000009
【図８】
2009225315.tif 000010
【図９】
2009225315.tif 000011
【図１０】
2009225315.tif 000012
【図１１】
2009225315.tif 000013
【図１２】
2009225315.tif 000014
【図１３】
2009225315.tif 000015
【図１４】
2009225315.tif 000016
【図１５】
2009225315.tif 000017
【図１６】
2009225315.tif 000018
【図１７】
2009225315.tif 000019
【図１８】
2009225315.tif 000020
【図１９】
2009225315.tif 000021
【図２０】
2009225315.tif 000022
【図２１】
2009225315.tif 000023